(57)【要約】本発明は、少なくとも１つのキャビティ（２６）を有するボディ（２０）を有する発光標識構成部品（１０）に係る。発光エポキシ（２８）は、少なくとも１つのキャビティ（２６）を充填する。キャビティ（２６）における発光エポキシ（２８）は、電源異常の場合において発光グロー（３２）を放射する。
2008512753.tif 000002
【特許請求の範囲】
【請求項１】
発光標識構成部品であって、
１個構成ボディと、
前記ボディにおける少なくとも１つのキャビティと、
発光エポキシと、
を有し、
前記キャビティは、一連の英数字の１つ又は図形記号から選択されるメッセージ伝達標示を定義付け、
前記発光エポキシは、前記少なくとも１つのキャビティを充填し、前記ボディの一部になるよう前記ボディと接着し、前記少なくとも１つのキャビティにおける前記発光エポキシは、電源異常の場合において発光グローを放射する、
発光標識構成部品。
【請求項２】
前記少なくとも１つのキャビティが位置付けられる前記ボディの裏部分は、透明であり、したがって前記発光エポキシは、前記ボディの後方に位置付けられる光によって後方から照らされ得る、
請求項１記載の発光標識構成部品。
【請求項３】
前記少なくとも１つのキャビティは、光反射コーティングを有し、したがって前記発光エポキシの充電を容易にする、
請求項１記載の発光標識構成部品。
【請求項４】
前記光反射コーティングは、白色の塗料である、
請求項３記載の発光標識構成部品。
【請求項５】
前記ボディは、表示板の形状であり、
前記少なくとも１つのキャビティが位置付けられる前記ボディの前記裏部分は、透明であり、したがって前記発光エポキシは、前記ボディの後方に位置付けられる光によって充電され得る、
請求項１記載の発光標識構成部品。
【請求項６】
前記ボディは、出口ドアの方角を指す図形標示を有するモールディングの形状である、
請求項１記載の発光標識構成部品。
【発明の詳細な説明】
【技術分野】
【０００１】
本発明は、いかなる種類の標識においても使用に適切であり、火事等の緊急時において出口ドアの位置を示す特定の実用性を有する、発光標識構成部品（ｌｕｍｉｎｅｓｃｅｎｔ  ｓｉｇｎａｇｅ  ｃｏｍｐｏｎｅｎｔ）に係る。
【背景技術】
【０００２】
大半の法域における建築基準法は、出口ドアがはっきりと明確にされ、火事等の非常時において公衆が迅速に出口ドアを認識できるようにする、ことを要求する。いかなる出口標識が与えられようとも、該標識は、電源異常の場合において明確に可視のままでなければならない。法域によっては、所定の時限は変わり得る。通常の時限は少なくとも４５分である。過去においては、電源異常の場合における出口標識の連続照明は、補助電源を有して扱われてきた。発光標識の使用は、提案されている。この一例は、米国特許第６，３５８，６５３号明細書（ｖａｎ  Ｄｕｙｎｈｏｖｅｎ、２００２年）（特許文献１）である。該ｖａｎ  Ｄｕｙｎｈｏｖｅｎの特許は、ステンシル及び発光塗料を使用する標識発光表示（ｌｕｍｉｎｅｓｃｅｎｔ  ｉｎｄｉｃｉａ）を教示する。該ｖａｎ  Ｄｕｙｎｈｏｖｅｎの特許の教示に関する可能性のある懸念は、所望される長さの時間において表示の照明を維持する十分な発光体が塗料においてあるか否か、という点である。
【特許文献１】米国特許第６，３５８，６５３号明細書
【発明の開示】
【発明が解決しようとする課題】
【０００３】
本発明は、発光標識構成部品の他の形状を与える、ことを目的とする。
【課題を解決するための手段】
【０００４】
本発明によれば、少なくとも１つのキャビティを有するボディを有する発光標識構成部品が与えられる。発光エポキシは、少なくとも１つのキャビティを充填する。キャビティにおける発光エポキシは、電源異常の場合に、発光グローを放射する。
【０００５】
望ましくは、少なくとも１つのキャビティは、一連の英数字又は図形記号等であるメッセージ伝達標示を定義付ける。上述された通り発光標識構成部品を有して、発光エポキシは、ボディにおけるキャビティを充填する。このアプローチは、ｖａｎ  Ｄｕｙｎｈｏｖｅｎの特許参照と比較して、実質的に発光体の量を増大させ、結果として発光体が光り続ける間の時間も増大させる。
【０００６】
上述された通り、発光標識構成部品の使用を介して有益な結果が得られ得るが、この時点までは該技術は、従来のバックリットの出口表示に取って代わることはできないでいる。そのため、更に有益な結果は、キャビティが位置付けられるボディの一部分が透明である際に、得られ得る。これによって、発光エポキシは、ボディの後方に位置付けられる光によって後方から照らされ得る。後方から照射される発光エポキシは、ボディの後方に位置付けられる光によって充電される。電源異常によって光が止まった場合、完全に充電された発光エポキシが光るため、公衆に対しては殆ど又は全く作動における違いがない。
【０００７】
上述された通り、発光標識構成部品の使用を介して有益な結果が得られ得るが、キャビティが暗色（ｄａｒｋ）の材料において作られる凹部である際、該暗色材料は、光を吸収し、且つ発光エポキシを充電するためにかかる時間を低減させる傾向がある。故に、更に有益な結果が得られ得るのは、キャビティがボディの前方に位置付けられる光によって発光エポキシの充電を促進するよう光反射コーティングを有する際である。有益な結果は、白色塗料の使用を介して得られてきている。
【０００８】
ボディが大半の場合において表示板（ｓｉｇｎ  ｐｌａｔｅ）の形状をとる、ことは想定される。しかしながら、ドアモールディングの形状においてボディを有することによって出口ドアを目立たせることは、有利であり得る。かかる場合において、ドアモールディングの発光エポキシは、公衆が出口ドアを見つける際に役立つように光る。また、ボディがチェアレールモールディングの形状をとることは、有利であり得る。かかる場合、チェアレールモールディングの発光エポキシは光る。矢印等の適切なグラフィック表示が使用された場合、チェアレールモールディング上の光る表示は、出口ドアへの方向を指し得る。
【０００９】
上述された通り、有益な結果が発光標識構成部品の使用を介して得られ得るが、更に有益な結果が得られるのは、ボディが透明な管状ボディであり、且つキャビティが発光エポキシを有して充填される補助的に延在するボアである際である。
【発明を実施するための最良の形態】
【００１０】
本発明のこれらの及び他の特徴は、添付の図面を参照する以下の説明からより明らかとなる。該図は、図解を目的とするだけのものであり、本発明の範囲を特に示される実施例に対して制限することは意図されない。
【００１１】
これより、発光標識構成部品の３つの望ましい実施例が説明される。発光標識構成部品の第１の実施例は、参照符号１０によって全体的に示され、図１を参照して説明される。発光標識構成部品の第２の実施例は、参照符号１００によって全体的に示され、図２ａ及び２ｂを参照して説明される。発光標識構成部品の第３の実施例は、参照符号２００によって全体的に示され、図３ａ及び３ｂを参照して説明される。発光標識構成部品の第４の実施例は、参照符号４００によって全体的に示され、図５を参照して説明される。
【００１２】
本願において本発明を判別するよう、まず従来のバックリット出口表示系が説明される。図４を参照すると、標準的な出口表示は、光源１４を有する筐体１２を有する。光源１４からの放射光１６は、必要な情報を居住者（ｏｃｃｕｐａｎｔ）に示す半透明の標示１８を通る。非常用電源が無い場合、光源１４に異常があると、表示は機能しなくなる。
【００１３】
第１の実施例の部分の構造及び関係：
図１を参照すると、発光標識構成部品１０は、第１の面２２及び第２の面２４を有するボディ２０を有する。図示される例では、ボディ２０は、表示板の形状である。標示を定義付けるキャビティ２６は、第１の面２２上においてボディ２０から出て形成される。発光エポキシ２８は、キャビティ２６を充填する。ボディ２０は、キャビティ２６が形成されるところの透明な部分３０を有して適合される。光源１４は、第２の面２４上で輝くよう筐体１２内において向きを定められる。光源１４からの放射光１６は、透明部分３０を介して輝き、発光エポキシ２８に衝突し、標示を充電及び照明する。
【００１４】
動作：
発光標識構成部品１０の使用及び動作は、これより図１を参照して説明される。通常の状態下では、光源１４は、電源を入れられ、キャビティ２６内において発光エポキシ２８によって定義付けられる前方面２２上の英数字を照明する。しかしながら、望ましい実施例の重要な有利点は、放射光１６が、透明部分３０を通ることによって、発光エポキシ２８を活性及び充電する。電源異常がある場合において、発光エポキシ２８は、非常用電源を使わずに、発光性の光（ｌｕｍｉｎｅｓｃｅｎｔ  ｌｉｇｈｔ）３２を放射し続ける。更には、キャビティ２４において実質的に更なる発光エポキシがあるため、発光性の光３２の有効期間は、より長く、非常用電源の実行可能な代替となる。
【００１５】
第２の実施例の部分の構造及び関係：
図２ａ及び２ｂを参照すると、発光標識構成部品１００は、第１の面２２及び第２の面２４を有するボディ２０を有する。図示される実施例では、ボディ２０は、表示板の形状である。英数字の形状において標示を定義付けるキャビティ２６は、第１の面２２上においてボディ２０から出て形成される。発光エポキシ２８は、キャビティ２６を充填する。ボディ２０は、発光エポキシ２８の後方において、キャビティ２６の基部において位置付けられる反射コーティング３４を有して適合される。光源１４からの放射光１６は、第１の面２２上で輝くよう位置決めされ、発光エポキシ２８を通り、反射コーティング３４に反射する。
【００１６】
動作：
発光標識構成部品１０の使用及び動作は、これより図２ａ及び２ｂを参照して説明される。通常の状態下では、光源１４は、電源を入れられ、キャビティ２６内で発光エポキシ２８によって定義付けられる前方面２２において標示上に光を投じる。しかしながら、第２の望ましい実施例の重要な有利点は、放射光１６が、発光エポキシ２８を通ること、反射コーティング３４に反射すること、並びに発光エポキシ２８に再度入ることによって、通常の状態下で標示を光らせるだけではなく、発光エポキシ２８を活性し且つ充電する。電源異常がある場合において、発光エポキシ２８は、非常用照明を使わずに、発光性の光３２を放射し続ける。更には、キャビティ２４において実質的に更なる発光エポキシがあるため、発光性の光３２の有効期間は、より長く、非常用電源の実行可能な代替となる。
【００１７】
第３の実施例の部分の構造及び関係：
図３ａを参照すると、発光標識構成部品２００は、図２ａ及び２ｂ中に示される通り、ボディ２０、第１の面２２、第２の面２４、キャビティ２６，発光エポキシ２８、及び反射コーティング３４を有する。しかしながら、図示される実施例では、ボディ２０は、モールドの形状である。図３ｂを参照すると、公共の場における典型的な出口場所は、ドアモールディング３８及びチェアレールモールディング４０を有し得る。各モールディングは、発光エポキシ２８を有する。光源１４は、各発光エポキシ２８によって定義付けられる各標示を照らし且つ充電するよう、放射光１６を与える。
【００１８】
動作：
発光標識構成部品２００の使用及び動作は、これより図３ａ及び３ｂを参照して説明される。通常の状態下では、光源１４は、電源を入れられ、キャビティ２６内で発光エポキシ２８によって定義付けられる前方面２２において標示上に光を投じる。図示される実施例においては、電源異常がある場合、発光性の光３２は、発光エポキシ２８から放射され、客又は居住者を出口へと効率的且つ持続的に案内する。
【００１９】
第４の実施例の部分の構造及び関係：
図５を参照すると、発光標識構成部品４００は、キャビティ４４を有する透明な管状ボディ４２、及び導軸方向に延在するボア４６を有する。発光エポキシ２８は、導軸方向に延在するボア４６に沿ってキャビティ４４によって封入され、発光性の光３２は、透明な管状ボディ４２を介して放射される。
【００２０】
動作：
発光標識構成部品４００の使用及び動作は、これより図５を参照して説明される。図示される実施例においては、透明な管状ボディ４２は、可撓性であり、透明なＰＶＣビニールを有して作られる。これによって、透明な管状ボディ４２が標示へと形成され得る。他のポリカーボネート又はアクリル材料が使用可能である、ことは十分理解される。発光エポキシ２８がキャビティ４４へと注入されると、光源１４からの放射光１６を有して充電され得る。電源異常の場合は、発光性の光３２は、透明な管状ボディ４２を介して発光エポキシ２８から放射され、所望の標示を掲示する。
【００２１】
本発明の全ての４つの実施例の説明において、「発光エポキシ」が参照されてきた。エポキシは、樹脂及び硬化剤又は活性剤を有して構成される。発光体は、アルカリ土類金属、ユーロピウムを有して浸漬される酸化アルミニウムを有して構成される。エポキシ及び発光体のいずれも、化学的及び物理的に安定しており、環境に負荷を与えない。該２つの材料は、発光エポキシを作るよう組み合わされる。発光エポキシは、第１、第２、第３、又は第４の実施例に従って選択されたボディにおいてキャビティを充填するよう使用される。続いて発光エポキシは、エポキシ内でサスペンドされる発光体を有して、剛性且つ耐久性のあるものになるよう硬化する。
【００２２】
図１において図示及び説明された実施例に関して、従来の出口表示筐体における発光の組合せは、独自のものである、と考えられる。本発明の教示が理解されると、多数の従来の出口表示を発光を有するよう改良することが可能となり得る。上述された通り、発光体のインレイすることは、発光の強度を大きく増大させるため、望ましい。しかしながら、発光オーバーレイがインレイの代わりに使用される場合でも、有益な結果は得られ得る。
【００２３】
本願中、「有する」という語は、その語に続く項目が有されるが特に記載されない項目も除外されるわけではないことを意味するよう、非制限的な意味において使用される。要素を単数形で示すことは、該要素が１つのみであることが文中で明確に求められない限り、該要素が１つより多く存在する可能性を除外しない。
【００２４】
請求項中に定義付けられる本発明の趣旨及び範囲を逸脱しない限り、示される実施例に対して修正が成され得る、ことは当業者にとって明らかである。
【図面の簡単な説明】
【００２５】
【図１】透明なボディ部分においてキャビティを有する、本発明の教示に従って構成される発光標識構成部品の断面における詳細の側面図である。
【図２ａ】キャビティが暗色材料にある、本発明の教示に従って構成される発光標識構成部品の断面における詳細の側面図である。
【図２ｂ】図２ａ中に示される発光標識構成部品の正面図である。
【図３ａ】ボディがモールディングの形状にある、本発明の教示に従って構成される発光標識構成部品の断面における詳細の側面図である。
【図３ｂ】モールディングが公共の環境においてある、図３ａ中に示される発光標識構成部品の斜視図である。
【図４】先行技術であり、従来のバックリットの出口表示の部分断面を有する斜視図である。
【図５】発光標識構成部品の他の管状の実施例の斜視図である。
【図１】
2008512753.tif 000003
【図２ａ】
2008512753.tif 000004
【図２ｂ】
2008512753.tif 000005
【図３ａ】
2008512753.tif 000006
【図３ｂ】
2008512753.tif 000007
【図４】
2008512753.tif 000008
【図５】
2008512753.tif 000009
【国際調査報告】
2008512753.tif 000010
2008512753.tif 000011